(57)【要約】      （修正有）【課題】アイシング及び肌の保養効果を有するゴム製コーティングフィルムウェアを提供する。【解決手段】アイシング及び肌の保養効果を有するゴム製コーティングフィルムウェアであって、外部ウェア本体１は、外側表面１１及び内側表面１２を有し、コーティングフィルム２は内側表面１２に設置される。このうち、皮膚に薬品やケア製品を塗布した後、外部ウェア本体１を着用して、コーティングフィルム２を皮膚に接触させることで、薬品、ケア製品を確実に皮膚に付着させ、吸収を維持する。また、冷やした外部ウェア本体１を着用することで、コーティングフィルム２が冷やされて患部をアイシングすることで、痛みや不快感を緩和する。【選択図】図１
0003221046.tif 000002
【実用新案登録請求の範囲】
【請求項１】
アイシング及び肌の保養効果を有するゴム製コーティングフィルムウェアであって、
外側表面及び内側表面を有する外部ウェア本体と、
前記内側表面に設置されるコーティングフィルムとを備え、
このうち、皮膚に薬品、ケア製品を塗布した後、前記外部ウェア本体を着用して、前記コーティングフィルムを皮膚に接触させることで、薬品、ケア製品を確実に皮膚に付着させて吸収させ、さらに、冷やした前記外部ウェア本体を着用することで、コーティングフィルムが冷やされて患部をアイシングすることにより、痛みや不快感を緩和することを特徴とするアイシング及び肌の保養効果を有するゴム製コーティングフィルムウェア。
【請求項２】
前記コーティングフィルム内に、合成ゴム、加工オイル、アクリレート、石油樹脂及びロジン樹脂のうちの一種または数種が添加されることを特徴とする請求項１に記載のアイシング及び肌の保養効果を有するゴム製コーティングフィルムウェア。
【請求項３】
前記コーティングフィルムに含有される合成ゴムの比率は全体の３〜９０％、加工油の比率は全体の０〜９０％、アクリレートの添加比率は全体の０〜３０％、石油樹脂及びロジン樹脂の比率は全体の０〜４０％であることを特徴とする請求項２に記載のアイシング及び肌の保養効果を有するゴム製コーティングフィルムウェア。
【請求項４】
前記コーティングフィルムに含有される合成ゴムは、熱可塑性ゴムＳＢＳ（スチレン−ブタジエン−スチレン）、熱可塑性ゴムＳＩＳ（スチレン−イソプレン−スチレン）または熱可塑性ゴムＳＥＢＳ（スチレン−エチレンブチレン−スチレン）、ＢＲ（ブタジエンゴム）、ＩＲ（イソプレンゴム）、ＮＢＲ（アクリロニトリル・ブタジエンゴム）、ＮＲ（天然ゴムと合成ゴムの総合物）、ＳＢＲ（スチレン・ブタジエンゴム）、ＩＩＲ（イソブチレン・イソプレンゴム／ブチルゴム）、ＣＲ（クロロプレンゴム）、ＴＰＵ（熱可塑性ポリウレタンエラストマー）、ＥＰＲ（エチレン・プロピレンゴム）であり、前記コーティングフィルムに含有される加工油は、パラフィンオイル、ナフテン油、芳香オイル、ポリオレフィン基礎オイル、大豆油、可塑剤、オリーブ油及び液体ゴムであり、前記コーティングフィルムに含有されるアクリレートは、単官能基アクリレートモノマー、二官能基アクリレートモノマー、多官能基アクリレートモノマー、単官能基アクリレートオリゴマー、多官能基アクリレートオリゴマー及び各式アクリレート派生物であり、前記コーティングフィルムに含有される石油樹脂及びロジン系樹脂は、Ｃ５、Ｃ９、Ｃ５−Ｃ９共重合樹脂、Ｃ５水素樹脂、Ｃ９水素樹脂、各式改性石油樹脂であり、未水素化ロジン樹脂、水素化ロジン樹脂は、各式エステル化による改質であることを特徴とする請求項３に記載のアイシング及び肌の保養効果を有するゴム製コーティングフィルムウェア。
【請求項５】
前記外部ウェア本体は、手袋、ひじカバー、ひざ用サポーター、くるぶし用サポーター、手用カバー、靴下カバー、指カバーまたは身体の大きい面積部位のサポーターであることを特徴とする請求項１から４のいずれかに記載のアイシング及び肌の保養効果を有するゴム製コーティングフィルムウェア。
【請求項６】
前記外部ウェア本体と前記コーティングフィルムの結合方式は、浸し塗り、射出、コーティングまたは塗布の方式により、前記コーティングフィルムの厚さは、１〜２０ｍｍであることを特徴とする請求項５に記載のアイシング及び肌の保養効果を有するゴム製コーティングフィルムウェア。
【考案の詳細な説明】
【技術分野】
【０００１】
本考案は、美容スキンケア分野の技術に応用されるアイシング及び肌の保養効果を有するゴム製コーティングフィルムウェアに関し、特に、身体のいかなる部位においても、薬品やケア化粧品を塗布した時に、作業に従事しながら薬品やケア化粧品の吸収に影響せずに使用でき、さらに、アイシングを施して、心地よい着用により痛みや腫れを緩和する、実用的なアイシング及び肌の保養効果を有するゴム製コーティングフィルムウェアに関する。
【背景技術】
【０００２】
スポーツを行なう際にけがをする確率は非常に高い。体を鍛えたり、ウォーミングアップを行なったりする時、往々にして過度のストレッチや誤った方法により、筋肉痛や腫れが生じることが多い。その際、マッサージやアイシング等の治療が施されて、身体を好適な状態に戻そうとする。しかしながら、医療的な治療を行なう場合、その過程は時間を要することが多く、この間他の作業をすることができず、時間の無駄が生じる。また、アイシングを行なう際に一般に使用されるコールドパックは、冷凍されると非常に硬くなり、使用の際に不快感がある。女性がスキンケアを行なう際にも同様の問題が生じる。科学技術の進歩により、現在はいわゆるフェイスマスクやハンドマスク、さらにはフットマスク等も開発されて、美を追求する消費者に提供されている。しかしながら、それぞれのマスク製品によって、使用の際の所要時間が異なる。短いものは１０分から長いものは３０分以上の場合もあり、ケア中は、他の作業に従事することができず、時に多くの時間を無駄にしてしまうことになる。さらに、マスクに浸透させるケア製品は半液体状であるため、ケア中に他の作業に従事しようとすると、液体状のケア製品に触れたり、他の物品に付着したりすることが考えられ、生活環境に影響したり、ケアが充分達成できなかったりする問題が発生する。このため、従来の製品には、運動傷害の治療やスキンケアの際に、多くの問題を有する。
【考案の概要】
【考案が解決しようとする課題】
【０００３】
したがって、本考案は、従来の技術が有する欠点を解決することを課題とする。
【課題を解決するための手段】
【０００４】
本考案のアイシング及び肌の保養効果を有するゴム製コーティングフィルムウェアの技術は、主に、運動傷害の治療またはスキンケアの際に、薬品やケア製品を塗布した後、他の作業に従事することができ、その医療行為や、ケア行為に影響されることなく、時間を有効に使えると同時に、薬品やケア製品が効果的に皮膚から吸収されることを目的とする。そして、本考案のアイシング及び肌の保養効果を有するゴム製コーティングフィルムウェアは、従来の技術に存在する、運動傷害の治療やスキンケアの際に使用する薬品やケア製品を塗布した後、一時的に他の作業が行なえず、時間を無駄にしてしまう。また、無理に他の作業を行なうと、薬品やケア製品の吸収を損なうという欠点を改善することを目的とする。上記の目的を達成するために、本考案のアイシング及び肌の保養効果を有するゴム製コーティングフィルムウェアは、外側表面と内側表面を有する外部ウェア本体と、内側表面に設置されるコーティングフィルムを備える。このうち、皮膚に薬品、ケア製品を塗布して、外部ウェア本体を着用することで、コーティングフィルムが皮膚に接触して、薬品、ケア製品を確実に皮膚に付着させてその吸収を維持させる。また、冷凍後の外部ウェア本体を着用することにより、コーティングフィルムが冷やされたことでただちに患部のアイシングが行なえて、痛みや不快感を緩和することを特徴とする。
【０００５】
上述のように、本考案のアイシング及び肌の保養効果を有するゴム製コーティングフィルムウェアは、以下の特徴を有する。現在市販されているコールドパックは、冷やされると硬くなるが、本考案はゲル状であり、冷凍後も柔らかい状態を保つ。３０分冷凍すれば使用でき、本考案のゴムのコーティングウェアのゲルの厚さが４ｍｍより薄いものは、手首、ひじ、くるぶし等の局部の部位に使用することが可能である。ゲルの厚さが４ｍｍより厚いものは、太もも、腕、背中、肩や首等の面積の大きい部位への使用に適している。コーティングフィルムの設置により、外部ウェア本体の内表面において、身体に薬品やケア製品を塗布した時に、外部ウェア本体を利用して着用して、コーティングフィルムにより皮膚に接触させて、薬品、ケア製品をより均等に皮膚に付着させて吸収させる。さらに重要な点は、外部ウェア本体の着用によって、薬品やケア製品を塗布した状態でも、他の作業を行なうことができ、何もできずに時間を無駄にしたという感覚を回避できて、時間を有効に使うことが可能である。
【考案の効果】
【０００６】
このように、本考案のアイシング及び肌の保養効果を有するゴム製コーティングフィルムウェアは、身体のいかなる部位においても、薬品やケア化粧品を塗布した時に、作業に従事しながら薬品やケア化粧品の吸収に影響せずに使用でき、さらに、アイシングを施して心地よい着用により、痛みや腫れを緩和することが可能であることで、実用性、進歩性を有すると同時に、産業上の効果及び社会的貢献も達成する。
【図面の簡単な説明】
【０００７】
【図１】本考案の立体図である。
【図２】図１におけるII−II線による断面図である。
【図３】本考案を手の部位に着用した場合の立体図である。
【図４】図３におけIV−IV線による断面図である。
【図５】本考案の他の実施例における立体図である。
【図６】本考案の他の実施例における立体図である。
【考案を実施するための形態】
【０００８】
「実施例」
図を参照しながら本考案のアイシング及び肌の保養効果を有するゴム製コーティングフィルムウェアについて説明する。図１から図６を参照しながら説明する。本考案のアイシング及び肌の保養効果を有するゴム製コーティングフィルムウェアは、外部ウェア本体１、を備えて着用に供する。前記外部ウェア本体１は、外側表面１１及び内側表面１２を有する。さらに、コーティングフィルム２を備え、前記内側表面１２に設置される。このうち、使用者が皮膚に薬品、ケア製品を塗布した後、外部ウェア本体１を着用して、コーティングフィルム２を皮膚に接触させることで、薬品、ケア製品を確実に皮膚に接触させて吸収させる。また、冷たくした外部ウェア本体１を着用して、コーティングフィルム２を利用して、冷たくした後に患部に当てることで、痛みや不快感を緩和する（前述の内容は、本考案の主な実施例の主な技術特徴であり、これは本考案の請求項１の内容に対応し、本考案の目的及び実施形態を詳しく知ることができる。その他の従属請求項の範囲に述べる技術特徴は、請求項１の内容の詳しい説明または付加技術特徴に対してであり、請求項１の範囲を制限するものではなく、本考案の請求項１は、その他の従属請求項に述べる技術特徴を含む必要はない）。
【０００９】
本考案は、主に、運動によるけがの一般治療を行なう医療施設またはスキンケアを重視する使用者に対して提供するものである。したがって、運動によりけがをし、治療を必要とする場合、スキンケアを重視する使用者が身体の部位に、薬品やケア製品を塗布して、治療、ケアを行なうのであるが、一般に薬品やケア製品を塗布すると、治療者（使用者）は、他の作業に従事することができず、治療またはケアの過程が終了してから、他の作業に従事するしかない。このような状況において、往々にして時間を無駄にしていると感じることがある。特に、治療者（使用者）が急用ができた場合、治療（ケア）を継続できないという状況も発生する。このため、本考案は、この問題を解決して、効果的に治療者（使用者）が、治療（ケア）の過程において、外部ウェア本体１を着用して、コーティングフィルム２を皮膚に接触させて、前記コーティングフィルムを皮膚に接触させた後、薬品、ケア製品をより均一に皮膚に付着させることができる。治療者（使用者）が、外部ウェア本体１の着用により、薬品、ケア製品が外に露出するのを回避することにより、その他の作業を行なうことができるため、有効に時間を利用でき、無駄な時間を過ごすことがない。本考案の構造により、治療者（使用者）は、治療（ケア）の過程を継続することができる。
【００１０】
図３から図６を参照しながら説明する。本考案のコーティングフィルム２は、下記の材料により製造される。まず、前記コーティングフィルム２内には、合成ゴム、加工オイル、アクリレートまたは石油樹脂のいずれか一種が添加される。また、合成ゴム（ｓｙｎｔｈｅｔｉｃ  ｒｕｂｂｅｒ）とは、いかなる人工製成によるものをも指し、弾性体の高分子材料を用いる。さらに、前記コーティングフィルム２内に、合成ゴムを添加する時、合成ゴムの比率は全体の３〜９０％で、合成ゴムは、熱可塑性ゴムＳＢＳ（スチレン−ブタジエン−スチレン）、熱可塑性ゴムＳＩＳ（スチレン−イソプレン−スチレン）または熱可塑性ゴムＳＥＢＳ（スチレン−エチレンブチレン−スチレン）、ＢＲ（ブタジエンゴム）、ＩＲ（イソプレンゴム）、ＮＢＲ（アクリロニトリル・ブタジエンゴム）、ＮＲ（天然ゴムと合成ゴムの総合物）、ＳＢＲ（スチレン・ブタジエンゴム）、ＩＩＲ（イソブチレン・イソプレンゴム／ブチルゴム）、ＣＲ（クロロプレンゴム）、ＴＰＵ（熱可塑性ポリウレタンエラストマー）、ＥＰＲ（エチレン・プロピレンゴム）である。また、コーティングフィルム２が加工オイルを使用する場合、その添加する割合は全体の０〜９０％で、加工オイルは、パラフィンオイル、ナフテン油、芳香オイル、ポリオレフィン基礎オイル、大豆油、可塑剤またはオリーブ油である。また、コーティングフィルム２がアクリレートの場合、その添加の比率は全体の０〜３０％である。アクリレートは、アクリル酸関連の熱塑性または熱固性高分子化合物から組成されたもので、メタクリル酸またはその他の関連化合物が重合するとポリメタクリル酸メチル樹脂となり、アクリル酸類樹脂塗料、紡織品整理剤、粘合剤、粘土との粘合、紙の修正に応用できる。もう一つのアクリレートは、アクリル樹脂で、各種透光性能を高める硬質高分子重合物である。最後に、前記コーティングフィルム２内には石油樹脂を添加し、且つ、その添加の比率は全体の０〜４０％である。また、石油樹脂は石油ナフサ分解の過程でできる副産物のＣ５、Ｃ９留分を原料として重合したもので、固形または液状重合物またはＤＣＰＤ石油樹脂、ポリα−メチルスチレン樹脂、ＰＳ、ＰＥ、ＰＰの合成樹脂である。
【００１１】
本考案は、塗布した薬品、ケア製品が外部ウェア本体１から浸出するのを回避するために、前記コーティングフィルム２の厚さは１ｍｍ〜２０ｍｍである。また、本考案は、主に運動によるけがの治療またはスキンケアを行なう場合に提供される。したがって、応用される場面は広く、前記外部ウェア本体１は、手袋、ひじ用サポーター、膝用サポーター、くるぶし用サポーター、ハンドカバー、靴下カバー、指カバーまたは身体の大きい面積の部位に使用するサポーター及びその他ウェア等で、着用可能な衣服、治療用具は全て本考案の保護の範囲である。図１、図５、図６を参照しながら説明する。最後に、前記外部ウェア本体１とコーティングフィルム２の結合方式は、浸し塗り、射出、コーティングまたは塗布の方式による。また、本考案は、また、冷蔵庫で冷やすことが可能で、コーティングフィルム２が低温に対して吸収変化することを利用して、治療者が運動によるけがの治療を行なう際に、アイシング方式で治療が行なえる。冷やした後のコーティングフィルム２は、硬くなりすぎず、柔らかい状態を保つため、患部のアイシングに適する。本考案のコーティングフィルム２の使用は、異なる治療部位に応じて異なる厚さにすることが可能である。例えば、コーティングフィルム２の厚さが、４ｍｍ以下の場合は、くるぶし、ひじ等の局部部位のアイシングに適し、コーティングフィルム２の厚さが４ｍｍより大きい場合は、太もも、背中、肩等の大きい面積のアイシングに適する。
【００１２】
このように、本考案のアイシング及び肌の保養効果を有するゴム製コーティングフィルムウェアを使用することで、運動によるけがの治療やスキンケアを行なう場合に、塗布した部位上に好適なウェアやサポーターを着用することで、コーティングフィルム２を皮膚に接触させて、ケア製品、薬品を均一に皮膚に付着させ、効果的に吸収させる。さらに、外部ウェア本体１の使用により、治療者（使用者）が治療（ケア）の過程で、その他の作業を続けることができ、有効に時間を利用でき、時間を無駄にすることがない。従来の治療、ケアの過程において、その他の作業ができずに、時間を無駄にしたり、仕事が遅れたりすることがない。したがって、本考案は、運動時にけがをして治療の必要がある患者や、身体のケアを重視する使用者にとって極めて実用的であり、進歩性を有する。
【００１３】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００１４】
１          外部ウェア本体        
１１        外側表面
１２        内側表面                
２          コーティングフィルム
【図１】
0003221046.tif 000003
【図２】
0003221046.tif 000004
【図３】
0003221046.tif 000005
【図４】
0003221046.tif 000006
【図５】
0003221046.tif 000007
【図６】
0003221046.tif 000008
【手続補正書】
【提出日】平成31年2月20日(2019.2.20)
【手続補正１】
【補正対象書類名】実用新案登録請求の範囲
【補正対象項目名】全文
【補正方法】変更
【補正の内容】
【実用新案登録請求の範囲】
【請求項１】
アイシング及び肌の保養効果を有するゴム製コーティングフィルムウェアであって、
外側表面及び内側表面を有する外部ウェア本体と、
前記内側表面に設置されるコーティングフィルムとを備え、
このうち、皮膚に薬品、ケア製品を塗布した後、前記外部ウェア本体を着用して、前記コーティングフィルムを皮膚に接触させることで、薬品、ケア製品を確実に皮膚に付着させて吸収させ、さらに、冷やした前記外部ウェア本体を着用することで、コーティングフィルムが冷やされて患部をアイシングすることにより、痛みや不快感を緩和することを特徴とするアイシング及び肌の保養効果を有するゴム製コーティングフィルムウェア。
【請求項２】
前記コーティングフィルム内に、合成ゴム、加工オイル、アクリレート、石油樹脂及びロジン樹脂のうちの一種または数種が添加されることを特徴とする請求項１に記載のアイシング及び肌の保養効果を有するゴム製コーティングフィルムウェア。
【請求項３】
前記コーティングフィルムに含有される合成ゴムの比率は全体の３〜９０％、加工オイルの比率は全体の０〜９０％、アクリレートの添加比率は全体の０〜３０％、石油樹脂及びロジン樹脂の比率は全体の０〜４０％であることを特徴とする請求項２に記載のアイシング及び肌の保養効果を有するゴム製コーティングフィルムウェア。
【請求項４】
前記コーティングフィルムに含有される合成ゴムは、熱可塑性ゴムＳＢＳ（スチレン−ブタジエン−スチレン）、熱可塑性ゴムＳＩＳ（スチレン−イソプレン−スチレン）、熱可塑性ゴムＳＥＢＳ（スチレン−エチレンブチレン−スチレン）、ＢＲ（ブタジエンゴム）、ＩＲ（イソプレンゴム）、ＮＢＲ（アクリロニトリル・ブタジエンゴム）、ＮＲ（天然ゴムと合成ゴムの総合物）、ＳＢＲ（スチレン・ブタジエンゴム）、ＩＩＲ（イソブチレン・イソプレンゴム／ブチルゴム）、ＣＲ（クロロプレンゴム）、ＴＰＵ（熱可塑性ポリウレタンエラストマー）、又はＥＰＲ（エチレン・プロピレンゴム）であり、
前記コーティングフィルムに含有される加工オイルは、パラフィンオイル、ナフテン油、芳香オイル、ポリオレフィン基礎オイル、大豆油、可塑剤、オリーブ油、又は液体ゴムであり、
前記コーティングフィルムに含有されるアクリレートは、単官能基アクリレートモノマー、二官能基アクリレートモノマー、多官能基アクリレートモノマー、単官能基アクリレートオリゴマー、多官能基アクリレートオリゴマー、又は各式アクリレート派生物であり、
前記コーティングフィルムに含有される石油樹脂及びロジン系樹脂は、Ｃ５、Ｃ９、Ｃ５−Ｃ９共重合樹脂、Ｃ５水素樹脂、Ｃ９水素樹脂、又は各式改性石油樹脂であり、
未水素化ロジン樹脂、水素化ロジン樹脂は、各式エステル化による改質である、
ことを特徴とする請求項３に記載のアイシング及び肌の保養効果を有するゴム製コーティングフィルムウェア。
【請求項５】
前記外部ウェア本体は、手袋、ひじカバー、ひざ用サポーター、くるぶし用サポーター、手用カバー、靴下カバー、指カバー、又は太もも、腕、背中、肩や首等の部位のサポーターであることを特徴とする請求項１から４のいずれかに記載のアイシング及び肌の保養効果を有するゴム製コーティングフィルムウェア。
【請求項６】
前記外部ウェア本体と前記コーティングフィルムの結合方式は、浸し塗り、射出、コーティングまたは塗布の方式により、前記コーティングフィルムの厚さは、１〜２０ｍｍであることを特徴とする請求項５に記載のアイシング及び肌の保養効果を有するゴム製コーティングフィルムウェア。